(57)【要約】【課題】  粘着テープにより容易にプロテクタを電線束に容易に固定することのできるワイヤハーネス用プロテクタを提供する。【解決手段】  電線束１１を収容している筒体２０ａの長手方向端部に対面して延設されている一対の舌片２３，２４に、互いに向かう方向に立上部２３ａ、２４ａが設けられているので、電線束１１の側面に立上部２３ａ、２４ａが位置することになる。このため、電線束１１に舌片２３、２４を取り付ける際に電線束１１の側面が立上部２３ａ、２４ａにより保護されるので、舌片２３、２４同士を押えるように粘着テープ１２を巻くことにより、容易に電線束１１の側面を保護でき、かつ、固定できる。【選択図】  図１
2005168131.tif 000002
【特許請求の範囲】
【請求項１】
電線束を収容可能な筒体と、前記筒体の長手方向端部に設けられた一対の舌片とを備え、
前記各舌片が略帯状であるとともに、前記電線束を挟む対面位置に配置されているプロテクタの電線保持構造であって、
前記各舌片が互いに他方に向かって延びる立上部を有していることを特徴とするプロテクタの電線保持構造。
【請求項２】
前記各立上部が他方の前記舌片に接触しない位置に設けられていることを特徴とする請求項１に記載したプロテクタの電線保持構造。
【請求項３】
前記筒体が、互いに組み合わせられることにより電線束を収容可能な本体および蓋部を有し、前記各舌片がそれぞれ前記本体および前記蓋部に設けられていることを特徴とする請求項１および請求項２のうちのいずれかに記載したプロテクタの電線保持構造。
【発明の詳細な説明】
【技術分野】
【０００１】
本発明はプロテクタの電線保持構造に係り、例えば自動車の車体に配策する電線束を保護するためのプロテクタの電線保持構造に関する。
【背景技術】
【０００２】
従来より、図４に示すようなワイヤハーネス用プロテクタが開示されている（例えば特許文献１参照）。
図４に示すように、このワイヤハーネス用プロテクタ１００では、底面１０１とこの底面１０１の両側に立設された側壁１０２とから構成される一対のワイヤハーネス収容部１０３を平行に並べ、側壁１０２同士をヒンジ１０４で回動可能に結合している。各底面１０１の長手方向両端には、平面状の舌片１０１ａが延設されている。
【特許文献１】実開平２−１４２２０号公報（図１）
【発明の開示】
【発明が解決しようとする課題】
【０００３】
ところで、前述したようなワイヤハーネス用プロテクタ１００においては、両ワイヤハーネス収容部１０３を閉じて筒状とし、粘着テープを巻いて電線束を舌片１０１ａに固定する際に、舌片１０１ａが平面状であり側面があいているため、粘着テープをしっかりと巻いて側面をカバーする必要がある。
このため、粘着テープを長く巻く必要があり、手間を要するとともに、コストアップを招くという不都合があった。
【０００４】
本発明は、前述した問題点に鑑みてなされたものであり、その目的は、短い粘着テープにより容易にプロテクタを電線束に容易に固定することのできるワイヤハーネス用プロテクタを提供することにある。
【課題を解決するための手段】
【０００５】
前述した目的を達成するために、本発明に係るプロテクタの電線保持構造は、電線束を収容可能な筒体と、前記筒体の長手方向端部に設けられた一対の舌片とを備え、前記各舌片が略帯状であるとともに、前記電線束を挟む対面位置に配置されているプロテクタの電線保持構造であって、前記各舌片が互いに他方に向かって延びる立上部を有していることを特徴としている。
【０００６】
このように構成されたプロテクタの電線保持構造においては、電線束を収容している筒体の長手方向端部に対面して延設されている一対の舌片に、互いに向かう方向に立上部が設けられているので、電線束の側面に立上部が位置することになる。このため、電線束に舌片を取り付ける際に電線束の側面が立上部により保護されるので、舌片同士を押えるように粘着テープを巻くことにより、容易に電線束の側面を保護でき、かつ、固定できる。
【０００７】
また、本発明に係るプロテクタの電線保持構造は、前記各立上部が他方の前記舌片に接触しない位置に設けられていることを特徴としている。
【０００８】
このように構成されたプロテクタの電線保持構造においては、立上部同士が接触しない位置に設けられているので、電線束に舌片を取り付ける際に舌片を近付けても干渉しない。
このため、両舌片を押し付けるようにしても立上部がぶつかって邪魔することなく電線束に押し付けることができ、容易に電線束を舌片に取り付けることができる。
【０００９】
また、本発明に係るプロテクタの電線保持構造は、前記筒体が、互いに組み合わせられることにより電線束を収容可能な本体および蓋部を有し、前記各舌片がそれぞれ前記本体および前記蓋部に設けられていることを特徴としている。
【００１０】
このように構成されたプロテクタの電線保持構造においては、本体と蓋部との組合せにより筒部が形成されており、本体および蓋部の端部から舌片が延設されている。
このため、本体に蓋部を被せることにより筒部を形成するとともに、両舌片が対面位置に位置することになる。
【発明の効果】
【００１１】
本発明によれば、従来のような電線束とプロテクタの舌片を固定するのに何度も粘着テープを巻く必要があるという問題を解消でき、これにより少ないテープで電線束の側面も保護できるとともに固定できるという効果が得られる。
【発明を実施するための最良の形態】
【００１２】
以下、本発明に係る実施形態を図面に基づいて詳細に説明する。図１は本発明のプロテクタの電線保持構造に係る実施形態を示す斜視図、図２（Ａ）は蓋部の斜視図、図２（Ｂ）は本体の斜視図、図３（Ａ）は粘着テープを巻く前の舌片の位置関係を示す端面図、図３（Ｂ）は粘着テープを巻いた後の舌片の位置関係を示す端面図である。
【００１３】
図１および図２（Ａ）、（Ｂ）に示すように、本発明の実施形態であるプロテクタの電線保持構造１０を適用したプロテクタ２０は、本体２１と蓋部２２から構成されている。断面コ字状をした本体２１の電線保持部２１ａと、略平面状をした蓋部２２の電線保持部２２ａとを組み合わせることにより、電線束１１を収容可能な矩形状の筒体２０ａを形成する。
また、各電線保持部２１ａ、２２ａには、長手方向両端部に各々一対の舌片２３、２４が設けられている。
【００１４】
本体２１の長手方向両端部付近には、蓋部２２を保持するための係止片２５が設けられており、係止片２５の先端には係止爪２５ａが設けられている。
一方、係止片２５に対応する位置の蓋部２２には、係止部２６が設けられており、係止片２５を通す空間２６ａが設けられている。なお、本体２１には、車体に取り付けるための平面状のブラケット２１ｂが拡幅して設けられており、取り付けのためのクリップ２７が設けられている。
従って、係止片２５を係止部２６の空間２６ａに通すと、係止片２５の係止爪２５ａが係止部２６により係止されるので、蓋部２２は本体２１から脱落しないように一体化して筒体２０ａを形成する。
【００１５】
図２（Ａ）、（Ｂ）に示すように、本体２１側の舌片２３および蓋部２２側の２４は略帯状であるとともに、電線束１１を挟む対面位置に配置されている。
各舌片２３、２４には、長手方向に沿って互いに対向する端縁から立上部２３ａ、２４ａが立設されており、互いに他方に向かって設けられている。
すなわち、本体２１側の立上部２３ａは蓋部２２側に向かって設けられているが、蓋部２２側の舌片２２ｂには接触しないような位置に設けられている。同様に、蓋部２２側の立上部２４ａは本体２１側に向かって設けられているが、本体２１の舌片２３には接触しない位置に設けられている。
【００１６】
図３（Ａ）には、本体２１の係止片２５を蓋部２２の係止部２６に挿入し係止された状態での、本体２１側舌片２３の立上部２３ａと蓋部２２側舌片２４の立上部２４ａの位置関係が示されている。また、図３（Ｂ）には、薄めの電線束１１を収容して、粘着テープ１２を巻いた状態が示されている。
図３（Ａ）に示す状態から、電線束１１を収容して図中矢印の方向に舌片２３、２４を近付けると、図３（Ｂ）に示されるように舌片２３、２４同士は接近するが、立上部２３ａ、２４ａ同士は接近せずにほぼ平行移動する。また、舌片２３と立上部２４ａ、あるいは舌片２４と立上部２３ａは互いに干渉しないような位置に両舌片２３，２４が設けられている。
【００１７】
以上、前述したプロテクタの電線保持構造１０によれば、各舌片２３、２４に、互いに向かう方向に立上部２３ａ、２４ａが設けられているので、電線束１１の側面に立上部２３ａ、２４ａが位置することになる。また、舌片２３、２４同士を近付けても立上部２３ａ、２４ａは干渉しない。
このため、電線束１１に舌片２３、２４を取り付ける際に電線束１１が薄くても側面が立上部２３ａ、２４ａにより保護されるので、舌片２３、２４同士を押えるように粘着テープ１２を巻くことにより、容易に電線束１１を保護でき、かつ、固定できる。
【００１８】
なお、本発明のプロテクタの電線保持構造は、前述した実施形態に限定されるものでなく、適宜な変形，改良等が可能である。
例えば、前述した実施形態において、筒体２０ａとして本体２１と蓋部２２とを組み合わせたものを例示したが、一体的な筒体にも適用可能である。
【図面の簡単な説明】
【００１９】
【図１】本発明のプロテクタの電線保持構造に係る実施形態を示す斜視図である。
【図２】（Ａ）は蓋部の斜視図、（Ｂ）は本体の斜視図である。
【図３】（Ａ）は粘着テープを巻く前の舌片の位置関係を示す端面図、（Ｂ）は粘着テープを巻いた後の舌片の位置関係を示す端面図である。
【図４】従来のワイヤハーネス用プロテクタを示す斜視図である。
【符号の説明】
【００２０】
１０  プロテクタの電線保持構造
１１  電線束
２０  プロテクタ
２０ａ  筒体
２１  本体
２２  蓋部
２３、２４  舌片
２３ａ、２４ａ  立上部
【図１】
2005168131.tif 000003
【図２】
2005168131.tif 000004
【図３】
2005168131.tif 000005
【図４】
2005168131.tif 000006